(57)【要約】【課題】容易にタブ群とケースを絶縁できる蓄電装置を提供すること。【解決手段】二次電池は、電極組立体１２における積層方向一端側に配置された第１の絶縁カバー８１と、電極組立体１２における積層方向他端側に配置された第２の絶縁カバー９１と、を備える。第１の絶縁カバー８１及び第２の絶縁カバー９１は、各極の電極接合部と蓋部材１５とを絶縁する壁絶縁部８２，９２と、タブ群３６と該タブ群３６に対向したケース部材とを絶縁するタブ絶縁部８３，９３と、各電極接合部の縁部に係止する係止爪８６ｆ，９５と、を備える。【選択図】図７
2018010850.tif 000002
【特許請求の範囲】
【請求項１】
シート状の正極と負極の電極が絶縁された状態で交互に積層された電極組立体と、
前記電極の一辺の一部から突出した形状のタブが同じ極性同士で積層されたタブ群と、
前記電極組立体及び前記タブ群を収容するケース部材、及び該ケース部材の開口部を閉塞する蓋部材を有するケースと、
前記蓋部材に固定され、前記蓋部材から前記電極組立体に向けて突出した基部を備えた一対の電極端子と、
同じ極性の前記タブ群と接合され、前記蓋部材と該蓋部材に対峙した前記電極組立体の端面との間に配置された一対の導電部材と、
前記蓋部材と前記電極端子の前記基部とを絶縁するホルダと、
前記電極の積層された方向を積層方向とした場合、前記電極組立体における前記積層方向の一端側に配置された第１の絶縁カバーと、
前記電極組立体における前記積層方向の他端側に配置された第２の絶縁カバーと、を備え、
前記第１の絶縁カバー及び前記第２の絶縁カバーは、一対の前記導電部材と前記蓋部材とを絶縁する壁絶縁部と、
前記積層方向において、前記タブ群と、前記ケース部材における前記タブ群に対向した部位とを絶縁するタブ絶縁部と、
前記導電部材の縁部に係止する係止爪と、を備える蓄電装置。
【請求項２】
前記第１の絶縁カバー及び前記第２の絶縁カバーの少なくとも一方は、前記ホルダに係止するホルダ係止爪を備える請求項１に記載の蓄電装置。
【請求項３】
シート状の正極と負極の電極が絶縁された状態で交互に積層された電極組立体と、
前記電極の一辺の一部から突出した形状のタブが同じ極性同士で積層されたタブ群と、
前記電極組立体及び前記タブ群を収容するケース部材、及び該ケース部材の開口部を閉塞する蓋部材を有するケースと、
前記蓋部材に固定され、前記蓋部材から前記電極組立体に向けて突出した基部を備えた一対の電極端子と、
同じ極性の前記タブ群と接合され、前記蓋部材と該蓋部材に対峙した前記電極組立体の端面との間に配置された一対の導電部材と、
前記蓋部材と前記電極端子の前記基部とを絶縁するホルダと、
前記電極の積層された方向を積層方向とした場合、前記電極組立体における前記積層方向の一端側に配置された第１の絶縁カバーと、
前記電極組立体における前記積層方向の他端側に配置された第２の絶縁カバーと、を備え、
前記第１の絶縁カバー及び前記第２の絶縁カバーは、一対の前記導電部材と前記蓋部材とを絶縁する壁絶縁部と、
前記積層方向において、前記タブ群と、前記ケース部材における前記タブ群に対向した部位とを絶縁するタブ絶縁部と、
前記ホルダに係止するホルダ係止爪と、を備える蓄電装置。
【請求項４】
前記一対の導電部材の並ぶ方向を並設方向とし、前記並設方向に対向した前記導電部材の端面を先端面とすると、前記第１の絶縁カバー及び前記第２の絶縁カバーのいずれか一方の絶縁カバーは前記導電部材の前記先端面に当接する第１当接面と、前記第１当接面に平行な第２当接面と、前記第２当接面に直交した第３当接面と、を備え、他方の絶縁カバーは前記第２当接面及び前記第３当接面に当接する二面を有する係止突部を備える請求項１〜請求項３のうちいずれか一項に記載の蓄電装置。
【請求項５】
前記第１の絶縁カバー及び前記第２の絶縁カバーにおいて、前記一対の導電部材の並んだ並設方向に沿う方向を長手方向とすると、前記第１の絶縁カバー及び前記第２の絶縁カバーのいずれか一方は各基部と前記電極組立体との間に介在する端子絶縁部を長手方向の両端に備えるとともに、各端子絶縁部よりも長手方向に沿う内側に前記導電部材の縁部に係止する係止爪を備え、他方の絶縁カバーは、前記一方の絶縁カバーが備える係止爪よりも長手方向に沿う内側にある請求項１又は請求項２に記載の蓄電装置。
【請求項６】
シート状の正極と負極の電極が絶縁された状態で交互に積層された電極組立体と、
前記電極の一辺の一部から突出した形状のタブが同じ極性同士で積層されたタブ群と、
前記電極組立体及び前記タブ群を収容するケース部材、及び該ケース部材の開口部を閉塞する蓋部材を有するケースと、
前記蓋部材に固定され、前記蓋部材から前記電極組立体に向けて突出した基部を備えた一対の電極端子と、
同じ極性の前記タブ群と接合され、前記蓋部材と該蓋部材に対峙した前記電極組立体の端面との間に配置された一対の導電部材と、
前記電極の積層された方向を積層方向とした場合、前記電極組立体における前記積層方向の一端側に配置された第１の絶縁カバーと、
前記電極組立体における前記積層方向の他端側に配置された第２の絶縁カバーと、を備え、
前記第１の絶縁カバー及び前記第２の絶縁カバーは、一対の前記導電部材と前記蓋部材とを絶縁する壁絶縁部と、
前記積層方向において、前記タブ群と、前記ケース部材における前記タブ群に対向した部位とを絶縁するタブ絶縁部と、を備えるとともに、
前記第１の絶縁カバー及び前記第２の絶縁カバーの一方の絶縁カバーは、前記壁絶縁部の内面に対し交差する面上に位置し、かつ前記積層方向に交差する係止面を備え、他方の絶縁カバーは前記係止面に係止する係止爪を備える蓄電装置。
【請求項７】
前記蓄電装置は二次電池である請求項１〜請求項６のうちいずれか一項に記載の蓄電装置。
【発明の詳細な説明】
【技術分野】
【０００１】
本発明は、絶縁カバーを有する蓄電装置に関する。
【背景技術】
【０００２】
ＥＶ（Electric Vehicle）やＰＨＶ（Plug in Hybrid）などの車両には、走行用モータへの供給電力を蓄える蓄電装置としての二次電池が搭載されている。一般に、二次電池は、電極組立体を収容するケースを備え、そのケース内に電極組立体が収容されている。そして、二次電池からの電力の取り出しは、電極組立体の正極電極及び負極電極に、導電部材を介して接続された電極端子を通して行われている。
【０００３】
電極組立体には、例えば、複数の正極電極と複数の負極電極との間にセパレータを介在させた状態で積層した積層型の電極組立体がある。
一般に、二次電池のケースには耐久性に優れるアルミニウム等の金属製ケースが多用されている。金属製のケースと電極組立体を絶縁するため、電極組立体とケースの間には絶縁フィルムが配置されている。
【０００４】
特許文献１に開示の蓄電装置においては、正極集電部材（導電部材）及び負極集電部材（導電部材）における集電群（タブ群）との接続面が電極組立体と対向するように正極集電部材及び負極集電部材を配設している。ケース内では、断面Ｕ字状の絶縁カバーが、正極集電部材及び負極集電部材とケースの端子壁（蓋部材）との間に配設されるとともに、対向面と蓋部材とを離間させている。
【先行技術文献】
【特許文献】
【０００５】
【特許文献１】再公表ＷＯ２０１３／１５７４３３号公報
【発明の概要】
【発明が解決しようとする課題】
【０００６】
ところで、二次電池の製造方法の一つに、蓋部材に電極端子を固定し、かつ電極端子に導電部材を接合して、蓋部材、電極端子及び導電部材をユニット化した蓋端子組立体を予め組み立ておく方法がある。この方法では、蓋端子組立体の導電部材と、電極組立体のタブ群とを接合した後に、電極組立体をケース部材に挿入して、蓋部材をケース部材に固定する。
【０００７】
この方法では、電極端子を導電部材に接合した後に、特許文献１に開示のような断面Ｕ字状の絶縁カバーを装着することはできず、タブ群の最外層とケースとを絶縁するには、絶縁フィルムを電極組立体の活物質層だけでなくタブ群の位置まで配置しなければならない。よって、蓋端子組立体を用いて製造される二次電池において、タブ群の最外層とケースとを絶縁するには、電極端子を導電部材に接合する前に断面Ｕ字状の絶縁カバーを装着することになり組立工程の削減が求められる。
【０００８】
本発明の目的は、容易にタブ群とケースを絶縁できる蓄電装置を提供することにある。
【課題を解決するための手段】
【０００９】
上記問題点を解決するための蓄電装置は、シート状の正極と負極の電極が絶縁された状態で交互に積層された電極組立体と、前記電極の一辺の一部が突出した形状のタブが同じ極性同士で積層されたタブ群と、前記電極組立体及び前記タブ群を収容するケース部材、及び該ケース部材の開口部を閉塞する蓋部材を有するケースと、前記蓋部材に固定され、前記蓋部材から前記電極組立体に向けて突出した基部を備えた一対の電極端子と、同じ極性の前記タブ群と接合され、前記蓋部材と該蓋部材に対峙した前記電極組立体の端面との間に配置された一対の導電部材と、前記蓋部材と前記電極端子の前記基部とを絶縁するホルダと、前記電極の積層された方向を積層方向とした場合、前記電極組立体における前記積層方向の一端側に配置された第１の絶縁カバーと、前記電極組立体における前記積層方向の他端側に配置された第２の絶縁カバーと、を備え、前記第１の絶縁カバー及び前記第２の絶縁カバーは、一対の前記導電部材と前記蓋部材とを絶縁する壁絶縁部と、前記積層方向において、前記タブ群と、前記ケース部材における前記タブ群に対向した部位とを絶縁するタブ絶縁部と、前記導電部材の縁部に係止する係止爪と、を備えることを要旨とする。
【００１０】
これによれば、蓄電装置の製造方法の一つに、蓋部材に電極端子を固定し、電極端子に導電部材を接合して、蓋端子組立体を予め製造した後、導電部材にタブ群を接合して、蓋端子組立体と電極組立体を一体化した後、電極組立体をケース部材内に収容する方法がある。
【００１１】
この方法では、蓋端子組立体が製造された後、第１の絶縁カバーの壁絶縁部を、積層方向一端側から蓋部材と一対の導電部材との間に挿入し、第２の絶縁カバーの壁絶縁部を、積層方向他端側から蓋部材と一対の導電部材との間に挿入すると、一対の絶縁カバーが蓋端子組立体に組付けられる。そして、導電部材に対する係止爪の係止により、電極組立体における積層方向に沿って両絶縁カバーが互いに離れる方向へ移動することを規制できる。
【００１２】
蓄電装置において、蓋部材と導電部材は両絶縁カバーの壁絶縁部で絶縁され、タブ群の積層方向両端とケース部材とはタブ絶縁部で絶縁される。よって、蓋端子組立体の組立後に絶縁カバーを装着して製造される蓄電装置であっても、タブ群をケース部材と絶縁することができ、その絶縁のための工程を増やさずに絶縁できる。
【００１３】
また、蓄電装置について、前記第１の絶縁カバー及び前記第２の絶縁カバーの少なくとも一方は、前記ホルダに係止するホルダ係止爪を備えていてもよい。
これによれば、例えば、負極側の導電部材の端子接続部に電流遮断機構が一体化される場合がある。この場合、ホルダは、電流遮断機構を含めた基部と蓋部材とを絶縁するために、積層方向に沿う寸法が導電部材に比して大きく製造される。このため、絶縁カバーを蓋端子組立体に装着する際、ホルダ係止爪はホルダに係止し、絶縁カバーの装着がスムーズになる。そして、導電部材に対する係止爪の係止と、ホルダに対するホルダ係止爪により、積層方向に沿って両絶縁カバーが互いに離れる方向へ移動することを規制できる。
【００１４】
上記問題点を解決するための蓄電装置は、シート状の正極と負極の電極が絶縁された状態で交互に積層された電極組立体と、前記電極の一辺の一部から突出した形状のタブが同じ極性同士で積層されたタブ群と、前記電極組立体及び前記タブ群を収容するケース部材、及び該ケース部材の開口部を閉塞する蓋部材を有するケースと、前記蓋部材に固定され、前記蓋部材から前記電極組立体に向けて突出した基部を備えた一対の電極端子と、同じ極性の前記タブ群と接合され、前記蓋部材と該蓋部材に対峙した前記電極組立体の端面との間に配置された一対の導電部材と、前記蓋部材と前記電極端子の前記基部とを絶縁するホルダと、前記電極の積層された方向を積層方向とした場合、前記電極組立体における前記積層方向の一端側に配置された第１の絶縁カバーと、前記電極組立体における前記積層方向の他端側に配置された第２の絶縁カバーと、を備え、前記第１の絶縁カバー及び前記第２の絶縁カバーは、一対の前記導電部材と前記蓋部材とを絶縁する壁絶縁部と、前記積層方向において、前記タブ群と、前記ケース部材における前記タブ群に対向した部位とを絶縁するタブ絶縁部と、前記ホルダに係止するホルダ係止爪と、を備えることを要旨とする。
【００１５】
これによれば、蓄電装置の製造方法の一つに、蓋部材に電極端子を固定し、電極端子に導電部材を接合して、蓋端子組立体を予め製造した後、導電部材にタブ群を接合して、蓋端子組立体と電極組立体を一体化した後、電極組立体をケース部材内に収容する方法がある。
【００１６】
この方法では、蓋端子組立体が製造された後、第１の絶縁カバーの壁絶縁部を、積層方向一端側から蓋部材と一対の導電部材との間に挿入し、第２の絶縁カバーの壁絶縁部を、積層方向他端側から蓋部材と一対の導電部材との間に挿入すると、一対の絶縁カバーが蓋端子組立体に組付けられる。そして、ホルダに対するホルダ係止爪の係止により、電極組立体における積層方向に沿って両絶縁カバーが互いに離れる方向へ移動することを規制できる。
【００１７】
蓄電装置において、蓋部材と導電部材は両絶縁カバーの壁絶縁部で絶縁され、タブ群の積層方向両端とケース部材とはタブ絶縁部で絶縁される。よって、蓋端子組立体の組立後に絶縁カバーを装着して製造される蓄電装置であっても、タブ群を積層方向両側からケース部材と絶縁することができ、その絶縁のための工程を増やさずに絶縁できる。
【００１８】
蓄電装置について、前記一対の導電部材の並ぶ方向を並設方向とし、前記並設方向に対向した前記導電部材の端面を先端面とすると、前記第１の絶縁カバー及び前記第２の絶縁カバーのいずれか一方の絶縁カバーは前記導電部材の前記先端面に当接する第１当接面と、前記第１当接面に平行な第２当接面と、前記第２当接面に直交した第３当接面と、を備え、他方の絶縁カバーは前記第２当接面及び前記第３当接面に当接する二面を有する係止突部を備えていてもよい。
【００１９】
これによれば、一方の絶縁カバーの第１当接面は導電部材の先端面に当接し、第１当接面に平行な第２当接面は、他方の絶縁カバーの係止突部に当接する。両当接面への当接により、一方の絶縁カバーが、並設方向に移動することを規制できる。また、規制部の第３当接面は係止突部に当接する。よって、規制部は、直交する第２当接面と第３当接面に係止突部が当接している。導電部材は蓋部材に固定されているため、導電部材との当接によって移動が規制された一方の絶縁カバーと、他方の絶縁カバーとが二面で当接することにより、両絶縁カバーの回転を規制できる。
【００２０】
蓄電装置について、前記絶縁カバーにおいて、前記一対の導電部材の並んだ並設方向に沿う方向を長手方向とすると、前記第１の絶縁カバー及び前記第２の絶縁カバーのいずれか一方の絶縁カバーは各基部と前記電極組立体との間に介在する端子絶縁部を長手方向の両端に備えるとともに、各端子絶縁部よりも長手方向に沿う内側に前記導電部材の縁部に係止する係止爪を備え、他方の前記絶縁カバーは、前記一方の絶縁カバーが備える係止爪よりも長手方向に沿う内側にあってもよい。
【００２１】
これにより、第１の絶縁カバーの係止爪と、第２の絶縁カバーの係止爪の位置を長手方向にずらし、両方の係止爪が重ならずに導電部材に係止させることができる。
上記問題点を解決するための蓄電装置は、シート状の正極と負極の電極が絶縁された状態で交互に積層された電極組立体と、前記電極の一辺の一部から突出した形状のタブが同じ極性同士で積層されたタブ群と、前記電極組立体及び前記タブ群を収容するケース部材、及び該ケース部材の開口部を閉塞する蓋部材を有するケースと、前記蓋部材に固定され、前記蓋部材から前記電極組立体に向けて突出した基部を備えた一対の電極端子と、同じ極性の前記タブ群と接合され、前記蓋部材と該蓋部材に対峙した前記電極組立体の端面との間に配置された一対の導電部材と、前記電極の積層された方向を積層方向とした場合、前記電極組立体における前記積層方向の一端側に配置された第１の絶縁カバーと、前記電極組立体における前記積層方向の他端側に配置された第２の絶縁カバーと、を備え、前記第１の絶縁カバー及び前記第２の絶縁カバーは、一対の前記導電部材と前記蓋部材とを絶縁する壁絶縁部と、前記積層方向において、前記タブ群と、前記ケース部材における前記タブ群に対向した部位とを絶縁するタブ絶縁部と、を備えるとともに、前記第１の絶縁カバー及び前記第２の絶縁カバーの一方の絶縁カバーは、前記壁絶縁部の内面に対し交差する面上に位置し、かつ前記積層方向に交差する係止面を備え、他方の絶縁カバーは前記係止面に係止する係止爪を備えることを要旨とする。
【００２２】
これによれば、蓄電装置の製造方法の一つに、蓋部材に電極端子を固定し、電極端子に導電部材を接合して、蓋端子組立体を予め製造した後、導電部材にタブ群を接合して、蓋端子組立体と電極組立体を一体化した後、電極組立体をケース部材内に収容する方法がある。
【００２３】
この方法では、蓋端子組立体が製造された後、第１の絶縁カバーの壁絶縁部を、積層方向一端側から蓋部材と一対の導電部材との間に挿入し、第２の絶縁カバーの壁絶縁部を、積層方向他端側から蓋部材と一対の導電部材との間に挿入すると、一対の絶縁カバーが蓋端子組立体に組付けられる。そして、係止爪と係止面との係止により、電極組立体における積層方向に沿って両絶縁カバーが互いに離れる方向へ移動することを規制できる。
【００２４】
そして、蓄電装置において、蓋部材と導電部材は両絶縁カバーの壁絶縁部で絶縁され、タブ群の積層方向両端とケース部材とはタブ絶縁部で絶縁される。よって、蓋端子組立体の組立後に絶縁カバーを装着して製造される蓄電装置であっても、タブ群を積層方向両側からケース部材と絶縁することができ、その絶縁のための工程を増やさずに絶縁できる。
【００２５】
前記蓄電装置は二次電池である。
【発明の効果】
【００２６】
本発明によれば、容易にタブ群とケースを絶縁できる。
【図面の簡単な説明】
【００２７】
【図１】第１の実施形態の二次電池を示す分解斜視図。
【図２】第１の実施形態の二次電池を示す斜視図。
【図３】第１の絶縁カバーと第２の絶縁カバーを組付けた状態を示す斜視図。
【図４】（ａ）は図２の４ａ−４ａ線断面図、（ｂ）は図２の４ｂ−４ｂ線断面図。
【図５】蓋端子組立体を示す斜視図。
【図６】蓋端子組立体を示す図。
【図７】第１の絶縁カバーと第２の絶縁カバーを蓋端子組立体に装着する斜視図。
【図８】図２の８−８線断面図。
【図９】第２の実施形態の第１の絶縁カバーと第２の絶縁カバーを組付けた状態を示す斜視図。
【図１０】第１の絶縁カバー及び第２の絶縁カバーを示す分解斜視図。
【図１１】第１の絶縁カバーと第２の絶縁カバーを組付けた状態を示す部分断面図。
【図１２】（ａ）は第１の絶縁カバーと第２の絶縁カバーを組付ける前を示す部分断面図、（ｂ）はガイド面によって係止用突出部が弾性変形する状態を示す部分断面図。
【図１３】別例を示す平面図。
【図１４】別例を示す平面図。
【発明を実施するための形態】
【００２８】
（第１の実施形態）
以下、蓄電装置を二次電池に具体化した第１の実施形態を図１〜図８にしたがって説明する。
【００２９】
図１又は図２に示すように、蓄電装置としての二次電池１０はケース１１を備え、ケース１１には電極組立体１２が収容されている。ケース１１は、四角箱状のケース部材１４と、このケース部材１４の開口部１４ａを閉塞する矩形平板状の蓋部材１５とを有している。なお、本実施形態の二次電池１０はリチウムイオン電池である。
【００３０】
電極組立体１２は、シート状の複数の正極電極２１とシート状の複数の負極電極３１とを備え、正極電極２１と負極電極３１とは異なる極性の電極である。詳細に図示しないが、正極電極２１は、正極金属箔（本実施形態ではアルミニウム箔）と、その正極金属箔の両面に存在する正極活物質層とを有する。負極電極３１は、負極金属箔（本実施形態では銅箔）と、その負極金属箔の両面に存在する負極活物質層とを有する。そして、電極組立体１２は、複数の正極電極２１と複数の負極電極３１の間にこれらを絶縁するセパレータ２４を介在させて層状とした積層型である。正極電極２１と負極電極３１が積層された方向を電極組立体１２の積層方向とする。
【００３１】
正極電極２１は、正極電極２１の一辺２１ａの一部から突出した形状のタブ２５を有する。負極電極３１は、負極電極３１の一辺３１ａの一部から突出した形状のタブ３５を有する。複数の正極のタブ２５、及び複数の負極のタブ３５は、正極電極２１及び負極電極３１が積層された状態で、正極のタブ２５と負極のタブ３５とが重ならない位置にそれぞれ設けられている。
【００３２】
電極組立体１２は、端面としてのタブ側端面１２ｂを備える。タブ側端面１２ｂは、正極電極２１の一辺２１ａ、負極電極３１の一辺３１ａ、及びセパレータ２４の一辺を寄せ集めて形成されている。電極組立体１２を構成する各正極電極２１は、それぞれのタブ２５が積層方向に沿って列状に配置されるように積層される。同様に、電極組立体１２を構成する各負極電極３１は、それぞれのタブ３５が積層方向に沿って列状に配置されるように積層される。
【００３３】
二次電池１０は、タブ側端面１２ｂから突出した正極のタブ群３６を有し、このタブ群３６は、全ての正極のタブ２５を電極組立体１２における積層方向の一端側に寄せ集め、積層して構成されている。また、二次電池１０は、タブ側端面１２ｂから突出した負極のタブ群３６を有し、このタブ群３６は、全ての負極のタブ３５を電極組立体１２における積層方向の一端側に寄せ集め、積層して構成されている。
【００３４】
二次電池１０では、ケース１１に収容された各タブ群３６、及び電極組立体１２のタブ側端面１２ｂに対し、ケース１１の蓋部材１５の内面１５ｄが対峙している。蓋部材１５の内面１５ｄと、電極組立体１２のタブ側端面１２ｂとを最短距離で結ぶ方向を対向方向Ｚとする。
【００３５】
正極のタブ群３６には、電極組立体１２と、後述の正極端子構造１６とを電気的に接続するための正極導電部材５１が接合されている。また、負極のタブ群３６には、電極組立体１２と、後述の負極端子構造１７とを電気的に接続するための負極導電部材５２が接合されている。蓋部材１５の内面１５ｄと電極組立体１２のタブ側端面１２ｂとの間には、正極導電部材５１及び負極導電部材５２が配置されている。なお、正極導電部材５１と負極導電部材５２がタブ側端面１２ｂに沿って並設された方向を並設方向Ｘとする。
【００３６】
正極導電部材５１は、タブ群３６と接合された平板状の電極接合部５１ａを長手方向一端側に備える。また、正極導電部材５１は、後述の正極引出端子６０と接続される平板状の端子接続部５１ｂを長手方向他端側に備え、電極接合部５１ａと端子接続部５１ｂは長手方向に連続している。
【００３７】
負極導電部材５２は、タブ群３６と電気的に接合された平板状の電極接合部５２ａを長手方向一端側に備える。また、負極導電部材５２は、後述の負極引出端子６１と電気的に接合された端子接続部５２ｂを長手方向他端側に備え、電極接合部５２ａと端子接続部５２ｂは長手方向に連続している。電極接合部５２ａは、端子接続部５２ｂと比較すると、負極導電部材５２の短手方向に沿う寸法が小さい形状であり、蓋部材１５の短手方向に沿う寸法より小さい。
【００３８】
次に、正極端子構造１６及び負極端子構造１７を説明する。なお、正極端子構造１６と負極端子構造１７は、電流遮断機構を除いて基本的に同じ構成であるため、共通の部材については、同じ部材番号を使用して説明する。
【００３９】
まず、正極端子構造１６及び負極端子構造１７を設けるための蓋部材１５の構成について説明する。蓋部材１５は、ケース１１の外側に臨む外面１５ｃ及びケース１１の内側に臨む内面１５ｄを有し、蓋部材１５において、外面１５ｃと内面１５ｄを最短距離で結ぶ方向を厚み方向とする。蓋部材１５は、長手方向の両端部に挿通孔１５ｅを備える。各挿通孔１５ｅは、蓋部材１５を厚み方向に貫通する。
【００４０】
正極端子構造１６及び負極端子構造１７は、蓋部材１５の外面１５ｃに配置された外側絶縁部材５７を備える。この外側絶縁部材５７は、正極の外部接続端子６６及び正極引出端子６０と、蓋部材１５とを絶縁し、負極の外部接続端子６６及び負極引出端子６１と、蓋部材１５とを絶縁する。外側絶縁部材５７は合成樹脂製である。外側絶縁部材５７は、蓋部材１５の外面１５ｃから見て矩形状である。外側絶縁部材５７の表面５７ｃと裏面５７ａとを結ぶ方向を厚み方向とする。
【００４１】
外側絶縁部材５７は、長手方向の一端寄りに回り止め部５８を備える。回り止め部５８は、表面５７ｃから裏面５７ａに向けて四角形状に凹んだ形状である。外側絶縁部材５７は、長手方向の他端寄りに挿通孔５７ｄを備える。挿通孔５７ｄは、蓋部材１５の挿通孔１５ｅと一致した位置にある。
【００４２】
正極端子構造１６及び負極端子構造１７は、蓋部材１５の外側に配置された外部接続端子６６を備え、この外部接続端子６６は蓋部材１５の外側で、二次電池１０同士を電気的に接続するバスバーを固定可能とする。外部接続端子６６は金属製である。この外部接続端子６６は、角柱状のボルト頭部６７と、外部接続端子６６の軸方向に沿ってボルト頭部６７の一端面から突出した形状の軸部６８と、ボルト頭部６７の他端面から突出した形状の係合凸部６９とを、備える。軸部６８には、バスバー締結用のナットが螺合可能である。
【００４３】
係合凸部６９は軸方向に見て四角形状である。係合凸部６９の四つの外側面を結んで形成される四角形状は、外側絶縁部材５７の回り止め部５８の四つの内側面を結んで形成される四角形状と相似である。そして、外部接続端子６６の係合凸部６９は、外側絶縁部材５７の回り止め部５８内に挿入されている。係合凸部６９の四つの外側面は、回り止め部５８の四つの内側面に接触し、係止している。この接触により、外部接続端子６６は、外側絶縁部材５７の表面５７ｃに沿う方向への移動が規制され、特に、外側絶縁部材５７の表面５７ｃでの回転が規制されている。
【００４４】
正極端子構造１６は、電極組立体１２の正極のタブ群３６と正極導電部材５１を介して電気的に接続された電極端子としての正極引出端子６０を備える。負極端子構造１７は、電極組立体１２の負極のタブ群３６と負極導電部材５２を介して電気的に接続された電極端子としての負極引出端子６１を備える。
【００４５】
正極引出端子６０は、後述の端子接続部材４４と電気的に接続される接続用軸部６０ａと、正極導電部材５１の端子接続部５１ｂと電気的に接続される基部６０ｂと、基部６０ｂから突出したカシメ部（図示せず）とを軸方向に連続して備える。なお、端子接続部材４４は、長手方向の一端側に、外部接続端子６６と接続される接続片４６を備え、長手方向の他端側に固定片４７を備える。端子接続部材４４は、接続片４６を厚み方向に貫通する貫通孔４６ａを備え、この貫通孔４６ａには外部接続端子６６の軸部６８が挿通されている。また、端子接続部材４４は、固定片４７を厚み方向に貫通する挿通孔４７ａを備える。
【００４６】
正極引出端子６０の基部６０ｂは、蓋部材１５の内面１５ｄからケース１１内に突出して配置されているとともに、接続用軸部６０ａは、ホルダ４０の挿通孔４０ａ、蓋部材１５の挿通孔１５ｅ、外側絶縁部材５７の挿通孔５７ｄ及び端子接続部材４４の挿通孔４７ａを貫通している。また、カシメ部は、正極導電部材５１を貫通して、電極組立体１２側に突出している。カシメ部はカシメられて端子接続部５１ｂに接している。
【００４７】
正極端子構造１６は、Ｏリング７３を有し、このＯリング７３には、正極引出端子６０の接続用軸部６０ａが挿通され、かつ基部６０ｂに支持されている。正極端子構造１６は、接続用軸部６０ａが挿通された前述のホルダ４０を有する。蓋部材１５の短手方向に沿うホルダ４０の寸法は、同じく短手方向に沿う正極導電部材５１の寸法より大きい。このため、ホルダ４０は、蓋部材１５の短手方向に沿って正極導電部材５１よりも突出している。
【００４８】
ホルダ４０の内側には、端子接続部５１ｂに支持されたＯリング７３が配置されている。端子接続部材４４の挿通孔４７ａを貫通した接続用軸部６０ａと、端子接続部５１ｂを貫通したカシメ部とが軸方向にカシメられることにより、接続用軸部６０ａとカシメ部によって、正極導電部材５１、ホルダ４０、蓋部材１５、外側絶縁部材５７、及び端子接続部材４４の固定片４７が挟持されている。この挟持により、正極引出端子６０が蓋部材１５に固定されている。Ｏリング７３は、蓋部材１５の内面１５ｄのうち挿通孔１５ｅの周囲に密接し、蓋部材１５の挿通孔１５ｅをシールしている。
【００４９】
また、図２に示すように、正極引出端子６０の接続用軸部６０ａの先端部は、端子接続部材４４における固定片４７の表面に係止するとともに、この係止によって正極引出端子６０と端子接続部材４４が電気的に接続されている。また、正極引出端子６０の基部６０ｂは、正極導電部材５１の端子接続部５１ｂに接触し、この接触によって、正極引出端子６０と正極導電部材５１が電気的に接続されている。
【００５０】
図１に示すように、負極端子構造１７において、負極引出端子６１は、負極の端子接続部材４４と電気的に接続される接続用軸部６２と、負極導電部材５２の端子接続部５２ｂと電気的に接続される基部６３とを軸方向に連続して備える。負極引出端子６１の接続用軸部６２は、ホルダ４０の挿通孔４０ａ、蓋部材１５の挿通孔１５ｅ、外側絶縁部材５７の挿通孔５７ｄ及び端子接続部材４４の挿通孔４７ａに挿通されている。
【００５１】
負極引出端子６１の基部６３は、四角板状である。基部６３は、正極側の基部６０ｂよりもサイズが大きい。基部６３の外形形状は、負極引出端子６１を軸方向から見て四角形状である。負極端子構造１７は、Ｏリング７３を有し、このＯリング７３には接続用軸部６２が挿通され、かつ基部６３に支持されている。負極端子構造１７は、接続用軸部６２が挿通された筒状のホルダ４０を有する。ホルダ４０の内側には、基部６３に支持されたＯリング７３が配置されている。そして、ホルダ４０は、蓋部材１５と、負極引出端子６１の基部６３との間に介在し、蓋部材１５と基部６３との接触を規制するとともに、蓋部材１５と負極引出端子６１とを絶縁する。また、負極のホルダ４０は、基部６３の外周面を覆い、ケース１１から負極引出端子６１を絶縁する。
【００５２】
図２に示すように、負極端子構造１７において、端子接続部材４４の挿通孔４７ａを貫通した接続用軸部６２の先端部が軸方向にカシメられることにより、接続用軸部６２と基部６３によって、ホルダ４０、蓋部材１５、外側絶縁部材５７、及び端子接続部材４４が挟持されている。この挟持により、負極引出端子６１が蓋部材１５に固定されている。Ｏリング７３は、蓋部材１５の内面１５ｄのうち挿通孔１５ｅの周囲に密接し、蓋部材１５の挿通孔１５ｅをシールしている。
【００５３】
また、負極引出端子６１の接続用軸部６２の先端部は、端子接続部材４４における固定片４７の表面に係止するとともに、この係止によって負極引出端子６１と端子接続部材４４が電気的に接続されている。
【００５４】
二次電池１０は、一方の電極端子である負極引出端子６１に一体の電流遮断機構８０を備える。電流遮断機構８０は、ケース１１の内部に配置されており、ケース１１の内部圧力が所定の設定圧力に達すると、電極組立体１２と、負極引出端子６１とを電気的に接続している通電経路の電流を遮断する。
【００５５】
次に、ケース１１内の絶縁カバーについて説明する。
図８に示すように、二次電池１０は、両方の電極接合部５１ａ，５２ａに対し、積層方向一端側から装着された第１の絶縁カバー８１と、積層方向他端側から装着された第２の絶縁カバー９１と、を備える。ここで、各絶縁カバー８１，９１において、正極導電部材５１と負極導電部材５２が並ぶ並設方向Ｘに沿う方向を長手方向とし、各絶縁カバー８１，９１の外面に沿い、かつ長手方向に直交する方向を短手方向とする。
【００５６】
第１の絶縁カバー８１は、壁絶縁部８２を備える。第１の絶縁カバー８１の壁絶縁部８２は、電極接合部５１ａ，５２ａと蓋部材１５との間に介在し、両者を絶縁する。また、第１の絶縁カバー８１は、壁絶縁部８２の一つの長縁部から電極組立体１２に向けて突出した形状のタブ絶縁部８３を備える。
【００５７】
第１の絶縁カバー８１は、電極組立体１２における積層方向の一端側に配置されている。第１の絶縁カバー８１の壁絶縁部８２は、電極接合部５１ａ，５２ａにおける積層方向一端側に支持されている。壁絶縁部８２は、電極接合部５１ａ，５２ａの短手方向の半分と蓋部材１５とを絶縁している。第１の絶縁カバー８１のタブ絶縁部８３は、タブ群３６の積層方向一端側を外側から覆う。タブ絶縁部８３は、積層方向において、タブ群３６の積層方向一端と、ケース部材１４において一端に対向した部位との間に介在し、タブ群３６とケース部材１４とを絶縁する。
【００５８】
図１又は図３に示すように、第１の絶縁カバー８１は、壁絶縁部８２の長手方向両端部で、かつ短手方向の一端部に一体の連結部８４を備える。そして、長手方向一端の連結部８４に、端子絶縁部としての正極絶縁部８５が連結され、長手方向他端の連結部８４に端子絶縁部としての負極絶縁部８６が連結されている。第１の絶縁カバー８１において、連結部８４は、長手方向に沿う側面視で、壁絶縁部８２と、正極絶縁部８５及び負極絶縁部８６と、を対向方向Ｚに離している。
【００５９】
よって、長手方向に沿う側面視では、壁絶縁部８２と正極絶縁部８５とは対向方向Ｚに離間し、壁絶縁部８２と負極絶縁部８６とは対向方向Ｚに離間している。壁絶縁部８２は、電極接合部５１ａ，５２ａに対峙する面に内面８２ａを備える。
【００６０】
正極絶縁部８５は、蓋部材１５の外面１５ｃから見た平面視が四角形状である。正極絶縁部８５の平面視サイズは、正極引出端子６０のカシメ部の平面視サイズより大きく、カシメ部の全体を電極組立体１２側から覆うことができる。正極絶縁部８５は３辺に沿う部位に突条部８５ｃを備える。
【００６１】
長手方向に沿う側面視では、壁絶縁部８２と突条部８５ｃとは対向方向Ｚに対向した位置にある。よって、第１の絶縁カバー８１は、側面視で対向した壁絶縁部８２と正極絶縁部８５の間に正極側隙間８５ｄを備える。
【００６２】
図４（ｂ）に示すように、正極側隙間８５ｄは、第１の絶縁カバー８１の短手方向の他端部に開口する。対向方向Ｚに沿う正極側隙間８５ｄの寸法は、正極導電部材５１の端子接続部５１ｂの厚みより大きく、正極側隙間８５ｄには、正極の端子接続部５１ｂが挿入されている。そして、端子接続部５１ｂに第１の絶縁カバー８１の壁絶縁部８２が支持されるとともに、端子接続部５１ｂと蓋部材１５との間に壁絶縁部８２が挟まれている。
【００６３】
第１の絶縁カバー８１は、正極絶縁部８５の突条部８５ｃから突出したホルダ係止爪８５ｆを備える。正極絶縁部８５のホルダ係止爪８５ｆは、側面視で正極絶縁部８５から壁絶縁部８２に向けて突条部８５ｃから突出している。第１の絶縁カバー８１の短手方向に沿う連結部８４とホルダ係止爪８５ｆの対向面間の寸法は、短手方向に沿う端子接続部５１ｂの寸法より長い。そして、正極側隙間８５ｄ内に端子接続部５１ｂが入り込んだ状態では、ホルダ４０の短手方向に沿う一対の縁部のうち、一方の縁部に連結部８４が当接するとともに、他方の縁部にホルダ係止爪８５ｆが係止している。
【００６４】
図１に示すように、負極絶縁部８６は、蓋部材１５の外面１５ｃから見た平面視が四角形状である。負極絶縁部８６の平面視サイズは、負極引出端子６１の基部６３及び電流遮断機構８０の平面視サイズとほぼ同じであり、電流遮断機構８０の全体を電極組立体１２側から覆うことができる。負極絶縁部８６は三辺に沿って突条部８６ｃを備える。
【００６５】
第１の絶縁カバー８１は、側面視で対向した壁絶縁部８２と負極絶縁部８６の間に負極側隙間８６ｅを備える。第１の絶縁カバー８１は、対向方向Ｚにおいて壁絶縁部８２と突条部８６ｃとの間に負極側隙間８６ｅを備え、この負極側隙間８６ｅは、第１の絶縁カバー８１の短手方向の他端部に開口する。対向方向Ｚに沿う負極側隙間８６ｅの寸法は、負極導電部材５２の電極接合部５２ａの厚みより大きく、負極側隙間８６ｅには、負極の電極接合部５２ａが挿入されている。
【００６６】
図４（ａ）に示すように、電極接合部５２ａに壁絶縁部８２が支持されるとともに、対向方向Ｚに沿う電極接合部５２ａと蓋部材１５との間に壁絶縁部８２が挟まれている。
負極絶縁部８６において、第１の絶縁カバー８１の短手方向に沿う両端部のうち、突条部８６ｃの一端部に連結部８４が位置し、他端部に係止爪８６ｆが存在する。負極絶縁部８６の係止爪８６ｆは、側面視で負極絶縁部８６から壁絶縁部８２に向けて突条部８６ｃから突出している。第１の絶縁カバー８１の短手方向に沿う連結部８４と係止爪８６ｆの対向面間の寸法は、電極接合部５２ａの短手方向に沿う寸法より僅かに長い。そして、負極側隙間８６ｅ内に電極接合部５２ａが入り込んだ状態では、第１の絶縁カバー８１の短手方向に対向した電極接合部５２ａの縁部の一方に連結部８４が当接するとともに、他方の縁部に係止爪８６ｆが係止している。
【００６７】
図３又は図５に示すように、第１の絶縁カバー８１は、タブ絶縁部８３の内面から短手方向に突出した係止突部８７を備える。係止突部８７は、蓋部材１５の外面から見て矩形状である。
【００６８】
図７又は図８に示すように、第２の絶縁カバー９１は、電極接合部５１ａ，５２ａと蓋部材１５との間に介在し、両者を絶縁する壁絶縁部９２を備える。また、第２の絶縁カバー９１は、壁絶縁部９２の一つの長縁部から電極組立体１２に向けて突出した形状のタブ絶縁部９３を備える。
【００６９】
第２の絶縁カバー９１は、電極組立体１２における積層方向の他端側に配置されている。第２の絶縁カバー９１の壁絶縁部９２は、電極接合部５１ａ，５２ａにおける積層方向他端側に支持されている。壁絶縁部９２は、電極接合部５１ａ，５２ａの短手方向の半分と蓋部材１５とを絶縁している。したがって、電極接合部５１ａ，５２ａのほぼ全面が、壁絶縁部８２，９２によって覆われている。
【００７０】
第２の絶縁カバー９１のタブ絶縁部９３は、タブ群３６の積層方向他端側を外側から覆い、積層方向においてタブ群３６の他端と、該他端に対向したケース１１とを絶縁する。
図３又は図７に示すように、第２の絶縁カバー９１は、タブ絶縁部９３の長手方向の両端から短手方向に突出した突出片９４を備える。第２の絶縁カバー９１は、各突出片９４の突出端部に係止爪９５を備える。第２の絶縁カバー９１の係止爪９５は、側面視で突出片９４から壁絶縁部９２に向けて突出している。第２の絶縁カバー９１の短手方向に沿うタブ絶縁部９３と係止爪９５の対向面間の寸法は、電極接合部５１ａ，５２ａの短手方向に沿う寸法より僅かに長い。
【００７１】
図６に示すように、第２の絶縁カバー９１が電極接合部５１ａ，５２ａにおける積層方向他端側に支持された状態では、電極接合部５１ａ，５２ａの一縁部に係止爪９５が係止している。
【００７２】
第２の絶縁カバー９１は、タブ絶縁部９３の内面から短手方向に突出した規制部９７を備える。規制部９７は、蓋部材１５の外面から見て、第２の絶縁カバー９１の短手方向に直線状に延びる第１当接面９７ａを有する。第１当接面９７ａは、負極導電部材５２の先端面５２ｃに当接する。なお、負極導電部材５２の先端面５２ｃとは、並設方向Ｘにおいて、正極導電部材５１の電極接合部５１ａと対向した、電極接合部５２ａの端面であり、電極組立体１２の積層方向に直線状に延びる面である。
【００７３】
規制部９７は、第１当接面９７ａに平行な第２当接面９７ｂと、第２当接面９７ｂに連続し、かつ直交する第３当接面９７ｃを備える。よって、蓋部材１５の外面から見て、規制部９７の第２当接面９７ｂと第３当接面９７ｃはＬ字状に繋がっている。
【００７４】
第１の絶縁カバー８１の係止突部８７の側面のうち、短手方向に対向した側面に規制部９７の第３当接面９７ｃが当接している。また、係止突部８７の側面のうち、負極導電部材５２寄りの側面に第２当接面９７ｂが当接している。よって、係止突部８７に対し規制部９７が二面当接している。
【００７５】
規制部９７は第１当接面９７ａに負極導電部材５２の先端面５２ｃが当接し、第２当接面９７ｂに係止突部８７が当接している。また、規制部９７の第３当接面９７ｃにも係止突部８７が当接している。これらの当接により、第１の絶縁カバー８１と第２の絶縁カバー９１の回動が規制されている。
【００７６】
次に、二次電池１０の製造方法を作用とともに記載する。
なお、負極引出端子６１と電流遮断機構８０と負極導電部材５２が予め一体化されているとする。
【００７７】
まず、蓋部材１５の外面１５ｃに外側絶縁部材５７を配置する。その外側絶縁部材５７の回り止め部５８内に外部接続端子６６の係合凸部６９を挿入する。次に、端子接続部材４４の貫通孔４６ａに外部接続端子６６の軸部６８を挿入する。
【００７８】
次に、正極側において、蓋部材１５の内面１５ｄ側にＯリング７３、ホルダ４０を配置する。そして、正極引出端子６０の接続用軸部６２を、ホルダ４０の挿通孔４０ａ、Ｏリング７３、蓋部材１５の挿通孔１５ｅ、外側絶縁部材５７の挿通孔５７ｄ及び端子接続部材４４の挿通孔４７ａに挿入する。そして、正極引出端子６０のカシメ部と接続用軸部６０ａのカシメにより、カシメ部と接続用軸部６０ａの端部との間に、正極導電部材５１、ホルダ４０、Ｏリング７３、蓋部材１５、外側絶縁部材５７、及び端子接続部材４４が一体化される。
【００７９】
負極側において、蓋部材１５の内面１５ｄ側にＯリング７３、ホルダ４０を配置し、ホルダ４０の挿通孔４０ａ、Ｏリング７３、蓋部材１５の挿通孔１５ｅ、外側絶縁部材５７の挿通孔５７ｄ及び端子接続部材４４の挿通孔４７ａに、負極引出端子６１の接続用軸部６２を挿入する。そして、接続用軸部６２のカシメにより、基部６３と接続用軸部６２の先端部との間に、ホルダ４０、Ｏリング７３、蓋部材１５、外側絶縁部材５７、及び端子接続部材４４が一体化されるとともに、電流遮断機構８０も一体化される。
【００８０】
すると、図６に示すように、蓋部材１５に正極端子構造１６及び負極端子構造１７が形成され、蓋端子組立体２０が形成される。蓋部材１５と、電極接合部５１ａ，５２ａとの間に隙間が存在している。
【００８１】
そして、正極導電部材５１の電極接合部５１ａに対し、電極組立体１２の正極のタブ群３６がレーザ溶接によって接合され、負極導電部材５２の電極接合部５２ａに対し、負極のタブ群３６がレーザ溶接によって接合される。すると、図７に示すように、蓋端子組立体２０と電極組立体１２が一体化される。次に、タブ群３６を折り曲げる。
【００８２】
そして、積層方向一端側から、蓋部材１５と、電極接合部５１ａ，５２ａとの間に第１の絶縁カバー８１の壁絶縁部８２を差し込むとともに、正極側隙間８５ｄに正極導電部材５１の電極接合部５１ａを、負極側隙間８６ｅに負極導電部材５２の電極接合部５２ａを差し込むように、第１の絶縁カバー８１をスライド移動させる。
【００８３】
そして、正極側において、正極絶縁部８５のホルダ係止爪８５ｆがホルダ４０の縁部に係止する。また、負極絶縁部８６において、負極絶縁部８６の係止爪８６ｆが端子接続部５２ｂの縁部に係止する。
【００８４】
その結果、第１の絶縁カバー８１が正極導電部材５１及び負極導電部材５２に一体に組付けられるとともに、電極接合部５１ａ，５２ａが壁絶縁部８２によって、蓋部材１５から絶縁された状態となる。同時に、タブ群３６の積層方向一端面が、タブ絶縁部８３によってケース１１の側壁から絶縁された状態となる。
【００８５】
また、正極絶縁部８５が正極引出端子６０のカシメ部を電極組立体１２側から絶縁し、負極絶縁部８６が電流遮断機構８０を含む負極引出端子６１を電極組立体１２側から絶縁した状態となる。
【００８６】
次に、積層方向他端側から、蓋部材１５と、電極接合部５１ａ，５２ａとの間に第２の絶縁カバー９１の壁絶縁部９２を差し込むように第２の絶縁カバー９１をスライド移動させる。
【００８７】
図６に示すように、正極側において、係止爪９５が正極導電部材５１の電極接合部５１ａの縁部に係止する。また、負極側においても、係止爪９５が負極導電部材５２の電極接合部５２ａの縁部に係止する。また、第２の絶縁カバー９１の規制部９７は、第１当接面９７ａが負極導電部材５２の先端面５２ｃに当接し、第２当接面９７ｂに、第１の絶縁カバー８１の係止突部８７が当接している。また、第２の絶縁カバー９１の規制部９７の第２当接面９７ｂにも、第１の絶縁カバー８１の係止突部８７が当接している。これらの当接により、第１の絶縁カバー８１と第２の絶縁カバー９１の回動が規制されている。
【００８８】
そして、蓋端子組立体２０に第１の絶縁カバー８１及び第２の絶縁カバー９１が装着された後、電極組立体１２をケース部材１４の開口部１４ａからケース部材１４内に挿入する。その後、蓋部材１５をケース部材１４の開口端に接合すると、二次電池１０が組み立てられる。
【００８９】
上記実施形態によれば、以下のような効果を得ることができる。
（１）二次電池１０の製造について、蓋端子組立体２０を予め製造しておき、この蓋端子組立体２０の各電極接合部５１ａ，５２ａに各タブ群３６を接合して電極組立体１２を一体化した状態で電極組立体１２をケース部材１４内に収容して二次電池１０を製造する方法がある。この製造方法では、第１の絶縁カバー８１及び第２の絶縁カバー９１は、蓋端子組立体２０の製造後に、蓋部材１５と電極接合部５１ａ，５２ａとの間に各壁絶縁部８２，９２を差し込んで装着される。
【００９０】
このため、二次電池１０において、電極組立体１２のタブ側端面１２ｂから突出したタブ群３６については、積層方向一端側は、第１の絶縁カバー８１のタブ絶縁部８３によってケース部材１４と絶縁でき、積層方向他端側は第２の絶縁カバー９１のタブ絶縁部９３によってケース部材１４と絶縁できる。よって、蓋端子組立体２０に絶縁カバー８１，９１を装着して製造された二次電池１０であっても、タブ群３６を積層方向両側からケース１１と容易に絶縁することができる。したがって、導電部材５１，５２と蓋部材１５を絶縁するための既存の構成である絶縁カバー８１，９１を装着するだけでタブ群３６をケース部材１４から絶縁でき、その絶縁のための工程を増やさずに済む。
【００９１】
（２）第１の絶縁カバー８１は、負極導電部材５２の電極接合部５２ａに係止する係止爪８６ｆを備え、第２の絶縁カバー９１は、両極の電極接合部５１ａ，５２ａに係止する係止爪９５を備える。各導電部材５１，５２は蓋端子組立体２０に組付けられており、蓋部材１５に固定されている。固定された導電部材５１，５２に各係止爪８６ｆ，９５が係止することにより、各絶縁カバー８１，９１について、挿入方向と逆方向への移動を規制できる。
【００９２】
（３）第１の絶縁カバー８１のホルダ係止爪８５ｆは、正極端子構造１６のホルダ４０に係止する。ホルダ４０は、正極引出端子６０の接続用軸部６０ａとカシメ部のカシメによって蓋部材１５に固定されている。固定されたホルダ４０にホルダ係止爪８５ｆが係止することにより、第１の絶縁カバー８１について、挿入方向と逆方向への移動を規制できる。
【００９３】
（４）第２の絶縁カバー９１は、規制部９７を備える。規制部９７の第１当接面９７ａは、負極導電部材５２の先端面５２ｃに当接し、第１当接面９７ａに平行な第２当接面９７ｂは、第１の絶縁カバー８１の係止突部８７に当接する。両当接面９７ａ，９７ｂへの当接により、並設方向Ｘへの第２の絶縁カバー９１の移動を規制できる。また、規制部９７の第３当接面９７ｃは、第１の絶縁カバー８１の係止突部８７に当接する。よって、規制部９７は、互いに直交する第２当接面９７ｂと第３当接面９７ｃに係止突部８７が当接している。この二面への当接により、第２の絶縁カバー９１の回動が規制できる。
【００９４】
（５）第１の絶縁カバー８１は、正極絶縁部８５にホルダ係止爪８５ｆを有するとともに、負極絶縁部８６に係止爪８６ｆを備える。第２の絶縁カバー９１の一方の係止爪９５は正極絶縁部８５に存在するホルダ係止爪８５ｆよりも内側に配設され、他方の係止爪９５は負極絶縁部８６に存在する係止爪８６ｆよりも内側に配設されている。このため、第１の絶縁カバー８１の係止爪８５ｆ，８６ｆと、第２の絶縁カバー９１の係止爪９５とが重なることなく、ホルダ４０や各導電部材５１，５２に係止させることができる。
【００９５】
（第２の実施形態）
次に、蓄電装置を二次電池に具体化した第２の実施形態を図９〜図１２にしたがって説明する。なお、第２の実施形態は、第１の実施形態の構成と同様の部分についてはその詳細な説明を省略する。
【００９６】
図９又は図１０に示すように、第１の絶縁カバー８１は、壁絶縁部８２の長手方向の中央部に凸部８２ｃを備える。凸部８２ｃは、壁絶縁部８２の長手方向の両端部よりも突出した形状である。第１の絶縁カバー８１は、壁絶縁部８２の長手方向における負極絶縁部８６寄りに補強リブ１００を備える。なお、壁絶縁部８２は、蓋部材１５の内面１５ｄと対峙する面に外面８２ｂを備え、電極接合部５１ａ，５２ａと対峙する面に内面８２ａを備える。また、壁絶縁部８２において、内面８２ａと外面８２ｂを最短距離で結ぶ方向を厚み方向とし、厚み方向への寸法を厚みとする。
【００９７】
補強リブ１００の厚みは、壁絶縁部８２における補強リブ１００の無い部分の厚みよりも厚い。補強リブ１００は、タブ絶縁部８３に繋がる端部に基端部１００ａを有し、壁絶縁部８２の縁に繋がる端部に先端部１００ｂを有する。
【００９８】
第１の絶縁カバー８１は、注液孔１０１を備える。注液孔１０１は、補強リブ１００の基端部１００ａ寄りにある。注液孔１０１は、壁絶縁部８２の厚み方向に沿って補強リブ１００を貫通している。注液孔１０１は、蓋部材１５の注液口（図示せず）に対応した位置に配置される。そして、ケース１１内に電解液を注入するため、蓋部材１５の注液口に注入されると、電解液は、第１の絶縁カバー８１の注液孔１０１を通過して電極組立体１２に注がれる。
【００９９】
第１の絶縁カバー８１は、係止凹部１０２を補強リブ１００に備える。係止凹部１０２は注液孔１０１よりも補強リブ１００の先端部１００ｂ寄りにある。係止凹部１０２は、壁絶縁部８２の内面８２ａ側において補強リブ１００から厚み方向に凹む形状である。
【０１００】
第１の絶縁カバー８１は、第１係止爪１０３を補強リブ１００に備える。第１係止爪１０３は、補強リブ１００において、係止凹部１０２よりも先端部１００ｂ寄りの部位でもある。第１係止爪１０３は、補強リブ１００の先端部１００ｂから基端部１００ａに向かうに従い徐々に厚みが厚くなる形状である。第１係止爪１０３は、補強リブ１００の先端部１００ｂから基端部１００ａに向かうに従い傾斜した面にガイド面１０３ｂを備える。
【０１０１】
第１係止爪１０３は、係止凹部１０２に繋がる面に係止面１０３ａを備える。係止面１０３ａは、係止凹部１０２を区画する面のうち、補強リブ１００の先端部１００ｂ寄りの面でもある。係止面１０３ａは、壁絶縁部８２の内面８２ａに対し直交（交差）する面であり、かつ積層方向に直交する面でもある。なお、係止面１０３ａは、壁絶縁部８２の内面８２ａに対し直交せず、傾斜した面であってもよい。
【０１０２】
第２の絶縁カバー９１は、壁絶縁部９２の長手方向の中央部に凹部９２ｃを備え、凹部９２ｃは、壁絶縁部９２の長手方向の中央部よりもタブ絶縁部９３に向けて凹んだ形状である。なお、壁絶縁部９２は、蓋部材１５の内面１５ｄと対峙する面に外面９２ｂを備え、電極接合部５１ａ，５２ａと対峙する面に内面９２ａを備える。第２の絶縁カバー９１は、タブ絶縁部９３からの壁絶縁部９２の突出方向と同じ方向へ棒状に突出した係止用突出部１０５を備える。
【０１０３】
係止用突出部１０５は、壁絶縁部９２の内面９２ａに平行な内面１０５ａを備える。第２の絶縁カバー９１は、傾斜面１０５ｂを係止用突出部１０５に備える。傾斜面１０５ｂは、タブ絶縁部９３から係止用突出部１０５の突出端部に向かうに従い徐々に内面１０５ａに近付くように傾斜している。
【０１０４】
第２の絶縁カバー９１は、係止用突出部１０５の突出端部に第２係止爪１０６を備える。第２係止爪１０６は、係止用突出部１０５の傾斜面１０５ｂから突出した形状である。第２係止爪１０６は、傾斜面１０５ｂに繋がる係止面１０６ａを備える。係止面１０６ａは、第１の絶縁カバー８１の係止面１０３ａに係止可能である。また、係止面１０６ａは、壁絶縁部９２の内面９２ａに直交（交差）する面であり、かつ積層方向に直交する面でもある。なお、係止面１０６ａは、壁絶縁部９２の内面９２ａに対し直交せず、傾斜した面であってもよい。
【０１０５】
第２の実施形態では、第１の絶縁カバー８１及び第２の絶縁カバー９１の両方が係止爪１０３，１０６を備え、両方が各係止爪１０３，１０６が係止する係止面１０３ａ，１０６ａを備える。
【０１０６】
次に、二次電池１０の製造方法を作用とともに記載する。
蓋端子組立体２０と電極組立体１２が一体化された状態において、図１２（ａ）に示すように、積層方向他端側から、蓋部材１５と、図示しない電極接合部５１ａ，５２ａとの間に第２の絶縁カバー９１の壁絶縁部９２を差し込み、蓋部材１５に第２の絶縁カバー９１を一体化する。この状態では、正負のタブ群３６の間に係止用突出部１０５が差し込まれ、かつ第２係止爪１０６が蓋部材１５の内面１５ｄに向けて突出した状態にある。また、係止面１０６ａは、壁絶縁部９２の内面９２ａに直交し、かつ積層方向にも直交している。よって、本実施形態では、係止面１０６ａを備える第２の絶縁カバー９１が一方の絶縁カバーとなる。
【０１０７】
次に、図１２（ｂ）に示すように、積層方向一端側から、蓋部材１５と、電極接合部５１ａ，５２ａとの間に第１の絶縁カバー８１の壁絶縁部８２を差し込むように第１の絶縁カバー８１をスライド移動させ、第２の絶縁カバー９１に対し第１の絶縁カバー８１を近付ける。このとき、補強リブ１００は、第２の絶縁カバー９１の係止用突出部１０５に対し、積層方向に対向する位置に差し込まれる。すると、第１係止爪１０３のガイド面１０３ｂが第２係止爪１０６に摺接し、係止用突出部１０５が蓋部材１５から離れるように弾性変形する。
【０１０８】
そして、第２係止爪１０６に係止凹部１０２が対峙すると、ガイド面１０３ｂによる第２係止爪１０６の摺接が解除され、係止用突出部１０５が原形状に復帰して、係止凹部１０２内に第２係止爪１０６が入り込む。
【０１０９】
すると、図１１に示すように、第１係止爪１０３の係止面１０３ａが、第２係止爪１０６の係止面１０６ａに係止可能となる。同時に、第２係止爪１０６の係止面１０６ａが、第１係止爪１０３の係止面１０３ａに係止可能となる。本実施形態では、第１の絶縁カバー８１が、係止爪を有する他方の絶縁カバーとなる。
【０１１０】
図９に示すように、第１の絶縁カバー８１の凸部８２ｃは、第２の絶縁カバー９１の凹部９２ｃに入り込み、壁絶縁部８２，９２が平板状に組付けられる。
その後、第１の実施形態と同様に、電極組立体１２をケース部材１４の開口部１４ａからケース部材１４内に挿入する。その後、蓋部材１５をケース部材１４の開口端に接合すると、二次電池１０が組み立てられる。
【０１１１】
図１１に示すように、組み立てられた二次電池１０において、電極組立体１２のタブ側端面１２ｂから突出したタブ群３６については、積層方向一端側は、第１の絶縁カバー８１のタブ絶縁部８３によって覆われ、図示しないケース部材１４と絶縁できる。同様に、タブ群３６の積層方向他端側は第２の絶縁カバー９１のタブ絶縁部９３によって覆われ、図示しないケース部材１４と絶縁できる。
【０１１２】
第１の絶縁カバー８１及び第２の絶縁カバー９１は、タブ群３６に対するタブ絶縁部８３，９３の当接により、挿入方向への移動が規制される。この移動規制状態での第１係止爪１０３と第２係止爪１０６の係止により、挿入方向とは逆方向への各絶縁カバー８１，９１の移動が規制され、第１の絶縁カバー８１と第２の絶縁カバー９１の分離が規制される。
【０１１３】
従って、第２の実施形態によれば、第１の実施形態に記載の効果に加えて以下の効果を得ることができる。
（６）第１の絶縁カバー８１の第１係止爪１０３と、第２の絶縁カバー９１の第２係止爪１０６とは、それぞれ正負のタブ群３６の間に配置される。したがって、ケース１１内の空間のうち、正負のタブ群３６で挟まれた比較的広い空間に配置される。よって、蓋部材１５と電極接合部５１ａ，５２ａの間に壁絶縁部８２，９２を差し込んで装着される絶縁カバー８１，９１であっても、第１係止爪１０３と第２係止爪１０６の係止が行いやすく、第１の絶縁カバー８１と第２の絶縁カバー９１を一体化させやすい。しかも、第１係止爪１０３と第２係止爪１０６の係止状態を良好なものにでき、第１の絶縁カバー８１と第２の絶縁カバー９１の分離を好適に規制できる。
【０１１４】
（７）第１の絶縁カバー８１は第１係止爪１０３にガイド面１０３ｂを備え、このガイド面１０３ｂは係止凹部１０２の係止面１０３ａに繋がる。そして、第１係止爪１０３と第２係止爪１０６とを係止させる際、ガイド面１０３ｂによって第２係止爪１０６が係止凹部１０２の係止面１０３ａに向かうようにガイドでき、第１係止爪１０３と第２係止爪１０６の係止が行いやすくなる。
【０１１５】
（８）電解液を電極組立体１２に注ぐため、第１の絶縁カバー８１は注液孔１０１を備える。注がれた電解液が電極組立体１２に近い位置に注がれるように、注液孔１０１は厚みのある補強リブ１００に形成される。この補強リブ１００を利用して係止凹部１０２及び第１係止爪１０３を形成した。したがって、二次電池１０の製造に必要な部位を利用して係止凹部１０２及び第１係止爪１０３を形成できる。
【０１１６】
（９）第２の絶縁カバー９１を蓋端子組立体２０に組付けた後、この第２の絶縁カバー９１に対し、第１の絶縁カバー８１を近付け、第２の絶縁カバー９１の第２係止爪１０６に対し、第１の絶縁カバー８１の第１係止爪１０３を係止させるようにした。そして、第１の絶縁カバー８１において、第１係止爪１０３を厚みのある補強リブ１００に形成し、第２係止爪１０６を棒状に突出した係止用突出部１０５に形成した。したがって、第１係止爪１０３によって係止用突出部１０５を撓ませ、第２係止爪１０６と第１係止爪１０３を係止させやすい。
【０１１７】
なお、上記実施形態は以下のように変更してもよい。
○  図１３に示すように、第１の実施形態において、第１の絶縁カバー８１の係止突部８７と、第２の絶縁カバー９１の規制部９７とで回転を規制する構造を有していれば、例えば、第２の絶縁カバー９１の一方の係止爪９５は無くてもよい。このように構成した場合、係止爪９５が無い側（図１３では負極導電部材５２側）では、導電部材の電極接合部の露出面積が広くなり、電極接合部とタブ群３６との溶接作業が行いやすくなる。
【０１１８】
○  図１４に示すように、第１の実施形態において、第２の絶縁カバー９１において、一対の係止爪９５のうち、正極導電部材５１側の係止爪９５をホルダ４０の縁部に係止するホルダ係止爪とし、第１の絶縁カバー８１と第２の絶縁カバー９１を共にホルダ４０に係止させてもよい。
【０１１９】
このように構成した場合、正極端子構造１６は、電流遮断機構８０を備えないが、ホルダ４０は、正極導電部材５１の端子接続部５１ｂよりも幅広であり、各絶縁カバー８１，９１の短手方向に沿って端子接続部５１ｂより突出している。そして、この端子接続部５１ｂより幅広なホルダ４０に各ホルダ係止爪を係止させる構成とすることで、各絶縁カバー８１，９１を装着する際、ホルダ係止爪は、ホルダ４０に係止し、各絶縁カバー８１，９１の装着がスムーズになる。
【０１２０】
また、図１４示すように、第１の絶縁カバー８１において、負極絶縁部８６の係止爪８６ｆを、負極端子構造１７のホルダ４０に係止するホルダ係止爪としてもよい。
○  第１の実施形態の第１の絶縁カバー８１において、ホルダ係止爪８５ｆを負極導電部材５２に係止する係止爪とし、二つの爪を両方とも導電部材に係止する係止爪としてもよい。
【０１２１】
○  第１の実施形態において、第１の絶縁カバー８１の係止爪は、正極絶縁部８５や負極絶縁部８６から突設せず、タブ絶縁部８３から突出した突出片に設けられていてもよい。
【０１２２】
○  第１の実施形態において、第１の絶縁カバー８１の一対の係止爪のうち、一方の係止爪は正極絶縁部８５又は負極絶縁部８６から突出し、他方の係止爪は、タブ絶縁部８３から突出した突出片に設けられていてもよい。
【０１２３】
○  第１の実施形態において、第１の絶縁カバー８１の係止突部８７と第２の絶縁カバー９１の規制部９７は無くてもよい。
○  第１の実施形態において、第１の絶縁カバー８１に、第１当接面９７ａ、第２当接面９７ｂ、及び第３当接面９７ｃを備える規制部９７を設け、第２の絶縁カバー９１に第２当接面９７ｂ及び第３当接面９７ｃが当接する係止突部８７を設けてもよい。
【０１２４】
○  第１の実施形態において、規制部９７の第１当接面９７ａが当接する導電部材は正極導電部材５１の先端面であってもよい。この場合、第１当接面９７ａが正極導電部材５１に面するように、第１当接面９７ａと第２当接面９７ｂの位置が実施形態と逆になる。
【０１２５】
○  第２の実施形態において、蓋端子組立体２０に対し第１の絶縁カバー８１を先に組付けた後、第２の絶縁カバー９１を第１の絶縁カバー８１に近付けて、第１係止爪１０３と第２係止爪１０６を係止させてもよい。
【０１２６】
○  第２の実施形態において、第１の絶縁カバー８１及び第２の絶縁カバー９１のうち、第１の絶縁カバー８１を、係止爪を備えた構成とし、第２の絶縁カバー９１は係止面のみを備え、係止爪を備えない構成としてもよい。
【０１２７】
この場合、第２の絶縁カバー９１のタブ絶縁部９３の外面を係止面とし、かつ第１係止爪１０３を延長してタブ絶縁部９３の外面に第１の絶縁カバー８１の第１係止爪１０３を係止させる。
【０１２８】
又は、第１の絶縁カバー８１を、係止面を備えた一方の絶縁カバーとし、第２の絶縁カバー９１を、係止爪を備えた他方の絶縁カバーとしてもよい。この場合、第２の絶縁カバー９１の係止爪を、第１の絶縁カバー８１のタブ絶縁部８３の外面を係止面として係止させる構成としてもよい。
【０１２９】
○  第２の実施形態において、第１の絶縁カバー８１の第１係止爪１０３を、壁絶縁部８２のうち、補強リブ１００とは異なる位置に設け、第１係止爪１０３の位置に合わせて第２の絶縁カバー９１の第２係止爪１０６（係止用突出部１０５）を設けてもよい。
【０１３０】
○  第１の絶縁カバー８１の第１係止爪１０３と、第２の絶縁カバー９１の第２係止爪１０６とが係止できれば、第１の絶縁カバー８１の壁絶縁部８２や、第２の絶縁カバー９１の壁絶縁部９２の形状は適宜変更してもよい。
【０１３１】
○  電極端子は、正極引出端子６０や負極引出端子６１のように、外部接続端子６６と端子接続部材４４を介して接続されるものでなくてもよく、正極導電部材５１や負極導電部材５２に直接接続されたものでもよい。
【０１３２】
○  蓄電装置は、正極引出端子６０と一体の電流遮断機構８０を有する二次電池にも適用することができる。
○  蓄電装置は、電流遮断機構８０を備えない二次電池にも適用することができる。この場合、第２絶縁部は両極性の電極端子の基部を電極組立体１２側から覆う。
【０１３３】
○  電極端子は、正極引出端子６０や負極引出端子６１のように、外部接続端子６６と端子接続部材４４を介して接続されるものでなくてもよく、正極導電部材５１や負極導電部材５２に直接接続されたものでもよい。
【０１３４】
○  蓄電装置は、例えばキャパシタなど、二次電池以外の蓄電装置にも適用可能である。
○  正極電極２１及び負極電極３１は、金属箔の片面に活物質層が存在する構造でもよい。
【０１３５】
○  二次電池１０は、リチウムイオン二次電池でもよいし、他の二次電池であってもよい。要は、正極用の活物質と負極用の活物質との間をイオンが移動するとともに電荷の授受を行うものであればよい。
【符号の説明】
【０１３６】
１０…二次電池、１１…ケース、１２…電極組立体、１２ｂ…端面としてのタブ側端面、１４…ケース部材、１５…蓋部材、２１…正極電極、２５，３５…タブ、３１…負極電極、３６…タブ群、４０…ホルダ、５１…正極導電部材、５２…負極導電部材、５２ｃ…先端面、６０…電極端子としての正極引出端子、６１…電極端子としての負極引出端子、６０ｂ，６３…基部、８１…第１の絶縁カバー、８２，９２…壁絶縁部、８３，９３…タブ絶縁部、８５…端子絶縁部としての正極絶縁部、８６…端子絶縁部としての負極絶縁部、８６ｆ，９５…係止爪、８５ｆ…ホルダ係止爪、８７…係止突部、９１…第２の絶縁カバー、９７ａ…第１当接面、９７ｂ…第２当接面、９７ｃ…第３当接面、１０３…第１係止爪、１０３ａ，１０６ａ…係止面、１０６…第２係止爪。
【図１】
2018010850.tif 000003
【図２】
2018010850.tif 000004
【図３】
2018010850.tif 000005
【図４】
2018010850.tif 000006
【図５】
2018010850.tif 000007
【図６】
2018010850.tif 000008
【図７】
2018010850.tif 000009
【図８】
2018010850.tif 000010
【図９】
2018010850.tif 000011
【図１０】
2018010850.tif 000012
【図１１】
2018010850.tif 000013
【図１２】
2018010850.tif 000014
【図１３】
2018010850.tif 000015
【図１４】
2018010850.tif 000016